【事件の表示】
　特願２０１６−５０９０９０「シグナリングバックグラウンドのために未使用のアップリンクサイクリックシフトを利用すること」拒絶査定不服審判事件〔平成２６年１０月２３日国際公開、ＷＯ２０１４／１７２５１５、平成２８年　７月　７日国内公表、特表２０１６−５１９９１２〕について、次のとおり審決する。
【結　論】
　本件審判の請求は、成り立たない。
【理　由】
第１　手続の経緯
　本願は，２０１４年（平成２６年）４月１７日（パリ条約による優先権主張外国庁受理２０１３年４月１７日　米国，２０１４年４月１６日　米国）を国際出願日とする出願であって，その手続の経緯の概略は以下のとおりである。
　平成３０年　４月　４日付け：拒絶理由通知書
　平成３０年　７月　９日　　：意見書，手続補正書の提出
　平成３０年　７月１８日付け：拒絶査定
　平成３０年１１月１５日　　：拒絶査定不服審判の請求
　令和　１年　９月　６日付け：拒絶理由通知書（当審）
　令和　１年１２月　６日　　：意見書，手続補正書の提出
第２　本願発明
　本願の請求項１−１２に係る発明は，令和１年１２月６日にされた手続補正により補正された特許請求の範囲の請求項１−１２に記載された事項により特定されるところ，その請求項１に係る発明（以下，「本願発明」という。）は，以下のとおりのものと認める。
「　ユーザ機器（ＵＥ）によるワイヤレス通信のための方法であって，
　アップリンクチャネルを送信するために使用される１つまたは複数のサイクリックシフトまたは直交カバーコードを選択すること，ここにおいて，前記１つまたは複数のサイクリックシフトまたは直交カバーコードは，前記ＵＥのアンテナの選択に関する情報を伝達するために選択される，ここにおいて，前記ＵＥのアンテナの前記選択に関する前記情報は，特定のワイヤレスプロトコルのため前記ＵＥによって使用されるアンテナの数に関する情報である，ここにおいて，前記サイクリックシフトまたは直交カバーコードは，前記アップリンクチャネルで明示的に伝達されない情報を暗黙的に伝達するために選択される，と，
　前記選択されたサイクリックシフトまたは直交カバーコードを使用して前記アップリンクチャネルを送信することによって前記情報を伝達すること，と，
　を備える，方法。」
第３　拒絶の理由
　令和１年９月６日付けで当審が通知した拒絶理由（以下，「当審拒絶理由」という。）の概要は，「１．（サポート要件）この出願は，特許請求の範囲の記載が下記の点で，特許法第３６条第６項第１号に規定する要件を満たしていない。」，「３．（新規性）この出願の下記の請求項に係る発明は，その出願前に日本国内又は外国において，頒布された下記の刊行物に記載された発明又は電気通信回線を通じて公衆に利用可能となった発明であるから，特許法第２９条第１項第３号に該当し，特許を受けることができない。」，「４．（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」というものであり，３．（新規性）及び４．（進歩性）に関して，請求項１について，以下の引用例２，３が引用されている。
引用例２：米国特許出願公開第２０１２／００５１３１９号明細書
引用例３：特開２０１１−２３４２８６号公報
第４　当審の判断
１　特許法第２９条第１項第３号（新規性），及び特許法第２９条第２項（進歩性）について
　以下，当審拒絶理由の「第２　理由３（新規性），理由４（進歩性）」に記載した「（１）」の解釈（「ＵＥのアンテナの選択に関する情報」が「特定のワイヤレスプロトコルのため前記ＵＥによって使用されるアンテナの数に関する情報」の単なる上位概念を意味するものと解釈する）に基づいて検討する。
（１）　引用発明
ア　引用発明１
　当審拒絶理由に引用された米国特許出願公開第２０１２／００５１３１９号明細書（引用例２）には，図面とともに以下の事項が記載されている。（下線は当審が付与。）
「[0029]　
Hereinafter, the preferred embodiments of the present invention correspond to examples wherein the technical characteristics of the present invention are applied in a 3GPP system.
[0030]　
Although the description of the present invention is based upon the LTE-A
（中略）
2. Second Embodiment 
Control Information Transmission from the User Equipment to the Base Station
[0097]　The user equipment may configure a DM-RS based upon DM-RS indicator information transmitted from the base station and may transmit the configured DM-RS.
（中略）
[0099]　
The user equipment may select a DM-RS, based upon the control information that the user equipment wishes to transmit. The DM-RS set that is used for selecting the DM-RS may be defined as a limited cyclic shift
（中略）
[0101]　Referring to FIG. 7 , the base station may transmit to the user equipment DM-RS configuration information respective to a mapping rule, which may be used for re-translating a DM-RS resource indicator as control information, to the user equipment (S 701 ). Since the description of the same is identical to the description of step S 601 shown in FIG. 6 , a detailed description of the same will be omitted for simplicity. Instead of being transmitted from the base station, the mapping rule translating the DM-RS resource indicator as control information may be predetermined in the base station and/or the user equipment.
[0102]　Thereafter, the user equipment may select a DM-RS, which the user equipment wishes to transmit (S 702 ).
[0103]　The DM-RS set includes a first DM-RS set, which is to be selected when transmitting data, and a second DM-RS set, which may be re-translated as control information. The second DM-RS set may be configured of DM-RSs that may be arbitrarily selected by the user equipment based upon unused cyclic shifts. And, when it is assumed that the number of DM-RSs included in the second DM-RS set is equal to Na (Na1), among the Na number of DM-RSs, 
the user equipment may select one or more DM-RSs and may transmit the corresponding control information.
the user equipment transmits the DM-RSs, which are respectively mapped to the selected control information, to the base station 
（中略）
[0105]　
Hereinafter, diverse control information that may be transmitted through the DM-RS will now be described in detail.
（中略）
[0109]　2) Random Access and LTE-A User Equipment Capability Indicator Information
[0110]　
The control information that is reported by the user equipment to the base station may, for example, include information on a number of available physical antennae,
and information on MIMO performance
（中略）
[0112]　
LTE-A user equipment capability
number of physical antennae,
may be transmitted through a shared channel or a DM-RS index.
（中略）
[0114]　If a PDCCH separately defined for the LTE-A user equipment does not exist, the LTE-A user equipment may differently translate the RAR, which is the same as that of the convention LTE. Accordingly, contents of the third message, which is transmitted by the LTE-A user equipment, may be different from the contents of the third message, which is transmitted by the legacy LTE user equipment. Information for differently translating the RAR may be defined in the LTE-A system information. 
If a shared channel is not used for the LTE-A capability transmission, the information on the corresponding LTE-A user equipment capability may be transmitted through a DM-RS cyclic shift selection. More specifically, information on a number of available physical antennae supported by the user equipment,
and information on MIMO performance
may be indicated in accordance with a specific DM-RS, which is selected from a set of available DM-RS cyclic shifts.
（中略）
[0131]　
The above-described exemplary embodiments of the present invention may support the MIMO operations.
（中略）
[0134]　
In the above-described method for transmitting diverse control information from the user equipment by using a DM-RS selection according to the second embodiment of the present invention, when using the PUSCH, and when transmitting control information through the DM-RS field over the PUSCH, only the DM-RS is transmitted without having to transmit other separate information.
」
（当審仮訳：
[0029]　
以下，本発明の実施形態は，例として本発明の技術的特徴が3GPPシステムに適用される方法に対応する。
[0030]　
本発明の説明はLTE-Aに基づくものであるが
（中略）
2. 第2の実施形態
ユーザ機器から基地局への制御情報送信
[0097]　ユーザ機器は，基地局から送信されたDM-RSインジケータ情報に基づいてDM-RSを構成することができ，構成されたDM-RSを送信することができる。
（中略）
[0099]　
ユーザ機器は，ユーザ機器が送信を希望する制御情報に基づいて，DM-RSを選択してもよい。DM-RSを選択するために使用されるDM-RSセットは，制限されたサイクリックシフトとして定義されてもよく，
（中略）
[0101]　図7を参照すると，基地局は，制御情報としてDM-RSリソースインジケータを再変換するために使用することができるマッピングルールにそれぞれ対応する，ユーザ機器DM-RS構成情報をユーザ機器に送信することができる(S 701 )。その説明は図6に示したステップS601の説明と同じであるので，詳細な説明は省略する。基地局から送信される代わりに，制御情報としてDM-RSリソースインジケータを変換するマッピングルールは，基地局及び/又はユーザ機器において予め決定されてもよい。
[0102]　その後，ユーザ機器は，ユーザ機器が送信を希望するDM-RSを選択することができる(S 702 )。
[0103]　DM-RSセットは，データを送信する際に選択される第1のDM-RSセットと，制御情報として再変換される第2のDM-RSセットとを含む。第2のDM-RSセットは，使用されていないサイクリックシフトに基づいてユーザ機器によって任意に選択され得るDM-RSで構成されてもよい。そして，第2のDM-RSセットに含まれるDM-RSの数がNa(Na1)に等しいと仮定すると，DM-RSのNa個のうち，
ユーザ機器は，一つ又は複数のDM-RSを選択して，対応する制御情報を送信することができる。
ユーザ機器は，選択された制御情報にそれぞれマッピングされたDM-RSを基地局に送信する
（中略）
[0105]　
以下，DM-RSを通じて伝送される多様な制御情報について詳細に説明する。
（中略）
[0109]　2)ランダムアクセス及びLTE-Aユーザ機器能力インジケータ情報。
[0110]　
ユーザ機器が基地局に通知する制御情報として，例えば，多数の利用可能な物理アンテナに関する情報
MIMO性能
に関する情報等を含み得る。
（中略）
[0112]　キャリアアグリゲーション能力，
物理アンテナ数
などのLTE-Aユーザ機器能力は，共有チャネル又はDM-RSインデックスを通じて伝送され得る。
（中略）
[0114]　LTE-Aユーザ機器に対して個別に定義されたPDCCHが存在しない場合，LTE-Aユーザ機器は，RARを異なる方法で変換できる。これは，従来のLTEと同じである。したがって，LTE-Aユーザ機器によって送信される第3メッセージの内容は，レガシーLTEユーザ機器によって送信される第3メッセージの内容とは異なる可能性がある。RARを異なる方法で変換するための情報は，LTE-Aシステム情報において定義され得る。
LTE-A能力送信に共用チャネルが使用されない場合，対応するLTE-Aユーザ機器能力に関する情報は，DM-RSサイクリックシフト選択を通じて伝送され得る。具体的には，利用可能なDM-RSサイクリックシフトセットから選択された特定のDM-RSに従って，ユーザ機器によってサポートされる多数の利用可能な物理アンテナに関する情報，
MIMO性能に関する情報
に関する情報が示され得る。
（中略）
[0131]　
本発明の上記の実施例は，MIMO動作をサポートすることができる。
（中略）
[0134]　
本発明の第2の実施形態によれば，DM-RS選択を用いてユーザ機器から多様な制御情報を伝送するための上述の方法において，PUSCHを使用する場合，及びPUSCH上のDM-RSフィールドを介して制御情報を送信する場合，他の別個の情報を伝送する必要なくDM-RSのみが伝送される。
（図面は省略）
）
　上記の記載，並びに当業者の技術常識を考慮すると，以下のことがいえる。
（ア）　[0029]，[0030]の記載，及び「2. 第2の実施形態」のタイトルである「ユーザ機器から基地局への制御情報送信」との記載によれば，引用例２には，「LTE-Aシステムに適用される，ユーザ機器から基地局への制御情報送信の方法」について記載されていると認める。
（イ）　[0099]，[0103]，図７には，ユーザ機器は，ユーザ機器が送信を希望する制御情報に基づいてDM-RSを選択し，制御情報にマッピングされたDM-RSを基地局に送信することが記載されている。
　ここで，[0099]，[0114]の記載によれば，DM-RSを選択することとは，制限されたサイクリックシフトとして定義されたDM-RSセットから特定のDM-RSを選択することといえる。
　よって，引用例２には「ユーザ機器は，ユーザ機器が送信を希望する制御情報に基づいてDM-RSを選択し，制御情報にマッピングされたDM-RSを基地局に送信すること，DM-RSを選択することとは，制限されたサイクリックシフトとして定義されたDM-RSセットから特定のDM-RSを選択することであること」が記載されていると認める。
　更に，[0105]，[0110] ，[0112] ，[0114]の記載によれば， ユーザ機器が基地局に通知する制御情報として，ユーザ機器によってサポートされる多数の利用可能な物理アンテナに関する情報及び物理アンテナ数が含まれることが記載されているといえる。
　また， [0110]，[0114]には，ユーザ機器が基地局に通知する制御情報として，あるいはLTE-Aユーザ機器能力として，MIMO性能が含まれることが記載されている。更に，[0131]には，引用例２に記載された発明の実施例は，MIMO動作をサポートすることが記載されている。してみると，ユーザ機器は，MIMO動作をサポートするといえる。　
　よって，引用例２には「ユーザ機器が基地局に通知する制御情報として，ユーザ機器によってサポートされる多数の利用可能な物理アンテナに関する情報及び物理アンテナ数が含まれること，ユーザ機器はMIMO動作をサポートすること」について記載されていると認める。
　更に，[0134]には，「PUSCH上のDM-RSフィールドを介して制御情報を送信する場合，他の別個の情報を伝送する必要なくDM-RSのみが伝送されること」について記載されていると認める。
　以上を総合すると，引用例２には以下の発明（以下，「引用発明１」という。）が記載されていると認める。
「　LTE-Aシステムに適用される，ユーザ機器から基地局への制御情報送信の方法であって，
　ユーザ機器は，ユーザ機器が送信を希望する制御情報に基づいてDM-RSを選択し，制御情報にマッピングされたDM-RSを基地局に送信すること，DM-RSを選択することとは，制限されたサイクリックシフトとして定義されたDM-RSセットから特定のDM-RSを選択することであること，ユーザ機器が基地局に通知する制御情報として，ユーザ機器によってサポートされる多数の利用可能な物理アンテナに関する情報及び物理アンテナ数が含まれること，ユーザ機器はMIMO動作をサポートすること，PUSCH上のDM-RSフィールドを介して制御情報を送信する場合，他の別個の情報を伝送する必要なくDM-RSのみが伝送されること
　を含む方法。」
イ　引用発明２
　当審拒絶理由に引用された特開２０１１−２３４２８６号公報（引用例３）には，以下の事項が記載されている。（下線は当審が付与。）
「【０００１】
　本発明は，複数のアンテナを備えた携帯通信端末，携帯通信端末の制御プログラム，及び
携帯通信端末のアンテナ選択方法
（中略）
【００２２】
　
ここで，ＬＴＥは，空間多重方式を用いて同じ周波数で通信されるデータを，複数のアンテナを用いて通信するＭＩＭＯ（Multiple Input Multiple　Output）である。このため，ＬＴＥ通信に使用されるアンテナ（以下単に，通信アンテナという）の数が多くなる程（つまり，空間多重数が多い程），また通信アンテナ同士の相関が低い程，周波数利用率及びスループット等で表される通信効率が高い。
（中略）
【００２８】
　ＲＯＭ１４３は，ＣＰＵ１４１によって実行されるプログラムと，プロファイルとを記憶する。
ここで，プロファイルとは，携帯通信端末１００がある使用状態にある場合に，アンテナ１１から１６に対してそれぞれ最適な通信方法を割り当てるリストをいう。
【００２９】
　上記のように，ＬＴＥにおいて通信速度が最も向上する最適なアンテナの組合せは，通信アンテナ間の距離が長く，かつ通信アンテナの主偏波を直交した組合せである。また上記のように，携帯通信端末１００のスタイルによってアンテナ１１から１６間の距離が変化し，かつアンテナ１１から１６の周波数特性が変化する。
（中略）
【００３１】
　クローズ時のプロファイルについて具体的に説明する。上記のように，ＬＴＥに適したクローズ時のアンテナの組合せは，アンテナ１１及び１３の組合せ（又はアンテナ１２及び１４の組合せ）である。このため，図２（ｄ）に示すクローズ時のプロファイルは，ＬＴＥをアンテナ１１及び１３で使用することを表し，ＤＴＶ，３Ｇ，ＷＬＡＮ，及びＢＴを，図２（ｃ）の表に従って残りのアンテナ１１，１２，１５，及び１６で使用することを表す。尚，図２（ｄ）に示すプロファイルは，アンテナ１６の周波数特性をＢＴに適したものに変更させた上で，ＢＴで使用すると記載する。プロファイルは，ＢＴ方式に適した周波数特性を有するアンテナ１１及び１２をそれぞれＬＴＥ及びＷＬＡＮで使用すると記載するからである。
【００３２】
　同様に，ＬＴＥに適したオープン時のアンテナの組合せは，上記のように，アンテナ１１及び１５の組合せ（又はアンテナ１２及び１６の組合せ）である。このため，図３（ｄ）に示すオープン時のプロファイルは，ＬＴＥをアンテナ１１及び１５で使用することを表し，ＤＴＶ，３Ｇ，ＷＬＡＮ，及びＢＴを，図３（ｂ）の表に従って残りのアンテナ１２，１３，１４，及び１６で使用することを表す。尚，図３（ｄ）のプロファイルも，図２（ｄ）のプロファイルと同様に，アンテナ１６の周波数特性をＢＴに適したものに変更させると記載する。
（中略）
【００３４】
　
携帯通信端末１００は，図５で示したハードウェアを用いて，携帯通信端末１００の使用状態に基づいて通信に使用するアンテナを選択する，図６に示すようなアンテナ選択処理を実行する。
（中略）
【００３８】
　次に，アンテナ選択制御部１７０は，プロファイルＤＢ１７５が記憶する図３（ｃ）に示すような表から，検出されたオープンスタイル（つまり，姿勢）を表す「オープン」と，通信中の状態（つまり，通信状態）で表される使用状態に対応付けたプロファイル番号「１」を検索し，検索したプロファイル番号に基づいて，図３（ｄ）に示すようなプロファイルを選択する（ステップＳ０４）。
【００３９】
　その後，アンテナ選択制御部１７０は，アンテナ選択制御部１７０で選択されたプロファイルが有ると判断する（ステップＳ０５；Ｙｅｓ）。
次に，アンテナ選択制御部１７０は，選択されたプロファイルに従って，アンテナ１１から１６の接続端子と，プロファイルがそれぞれのアンテナ１１から１６に使用するように定める通信方式に対応した信号処理部１４５の入出力端子とを接続するように，図５のアンテナ選択部１４４を制御する（ステップＳ０６）。
（中略）
【００５２】
　またこの構成によれば，アンテナ選択制御部１７０は，使用状態が変化することで低い相関を有するアンテナの組合せが変化しても，
低相関のアンテナを空間多重方式のＬＴＥに用いるアンテナとして選択し，かつ残りのアンテナの１つ以上をＤＴＶ，３Ｇ，ＷＬＡＮ，又はＢＴで使用されるアンテナとして選択するため，アンテナ毎に通信方式が割り当てられている場合と比べて，少ないアンテナで複数の通信方式を用いて通信効率良く携帯通信端末１００が通信できる。
（中略）
【００５４】
（変形例１）
　本実施形態の変形例１に係る携帯通信端末１００は，
携帯通信端末１００が通信に用いる無線通信システムの状態に基づいて通信に使用するアンテナを選択する。
【００５５】
　本変形例において，図７（ａ）の使用状態検出部１６０は，信号処理部１４５が正常に復調した通信方式を，使用可能な通信方式として検出する。
また，アンテナ選択制御部１７０は，プロファイルが表すＤＴＶ，３Ｇ，ＷＬＡＮ，ＢＴ，及びＬＴＥの通信方式の内で，使用状態検出部１６０が使用可能な通信方式として検出した通信方式についてのみ，信号処理部１４５の入出力端子と，アンテナ１１から１６がそれぞれ有する接続端子とを接続するようにアンテナ選択部１４４を制御する。
　上記の記載，並びに当業者の技術常識を考慮すると，以下のことがいえる。
（ア）【０００１】，【００２８】，【００３４】，【００３９】，【００５２】，【００５４】，【００５５】の記載によれば，携帯通信端末のアンテナ選択方法において，携帯通信端末が，携帯通信端末の使用状態と無線通信システムの状態に基づいて，ＬＴＥで使用するアンテナと，ＷＬＡＮを含むその他の通信方式で使用するアンテナを選択するといえる。
　また，【００２２】，【００５２】によれば，携帯通信端末は，ＬＴＥ通信においてＭＩＭＯによる通信を行うといえる。
　以上を総合すると，引用例３には以下の発明（以下，「引用発明２」という。）が記載されていると認める。
「　携帯通信端末のアンテナ選択方法であって，
　携帯通信端末が，
　携帯通信端末の使用状態と無線通信システムの状態に基づいて，ＬＴＥで使用するアンテナと，ＷＬＡＮを含むその他の通信方式で使用するアンテナを選択すること，
　ＬＴＥ通信においてＭＩＭＯによる通信を行うこと，
　を含む方法。」
（２）　対比・判断
　本願発明と引用発明１とを対比する。
ア　引用発明１の「ユーザ機器」は，本願発明の「ユーザ機器（ＵＥ）」に相当する。
　また，引用発明１の「ユーザ機器から基地局への制御情報送信」は，ユーザ機器が，LTE-Aシステムにおいてワイヤレス通信を行うためのものであることは明らかである。
　したがって，引用発明１の「LTE-Aシステムに適用される，ユーザ機器から基地局への制御情報送信の方法」は，本願発明と同様に「ユーザ機器（ＵＥ）によるワイヤレス通信のための方法」といえる。
イ　引用発明１の「制限されたサイクリックシフトとして定義されたDM-RSセットから特定のDM-RSを選択すること」について，選択される特定のDM-RSは，特定のDM-RSに対応するサイクリックシフトによって定義されているので，特定のDM-RSを選択することは，特定のDM-RSを定義するサイクリックシフトを選択することを含むといえる。また，引用発明１の「特定のDM-RSを選択すること」は，制御情報にマッピングされたDM-RSを基地局にアップリンク送信を行うための処理であることは明らかである。更に，アップリンク送信においてアップリンクチャネルを用いていることは自明である。
　そして，「または」は択一的であることを意味するから，本願発明の「１つまたは複数のサイクリックシフトまたは直交カバーコードを選択すること」は，「１つのサイクリックシフトを選択すること」を含む。
　してみれば，引用発明１の「ユーザ機器は，ユーザ機器が送信を希望する制御情報に基づいてDM-RSを選択し，制御情報にマッピングされたDM-RSを基地局に送信すること，DM-RSを選択することとは，制限されたサイクリックシフトとして定義されたDM-RSセットから特定のDM-RSを選択することであること」は，「アップリンクチャネルを送信するために使用される１つのサイクリックシフトを選択すること」の点で本願発明と一致している。
　また，引用発明１の「ユーザ機器によってサポートされる多数の利用可能な物理アンテナに関する情報及び物理アンテナ数が含まれること，ユーザ機器はMIMO動作をサポートすること」に関して，「ユーザ機器によってサポートされる多数の利用可能な物理アンテナに関する情報及び物理アンテナ数」に基づいて，ユーザ機器がMIMO動作を行う際のアンテナの数が選択・決定されること（例えば，ユーザ機器が有する「物理アンテナ数」を上限とし，「ユーザ機器によってサポートされる多数の利用可能な物理アンテナに関する情報」を考慮して，MIMO動作を行う際の物理アンテナの数や論理アンテナの数が選択・決定されること）は，当業者にとって明らかである。
　また，引用発明１は，「LTE-Aシステムに適用される，ユーザ機器から基地局への制御情報送信の方法」であるから，引用発明１の「ユーザ機器によってサポートされる多数の利用可能な物理アンテナに関する情報及び物理アンテナ数」は，LTE-Aシステムの通信プロトコルのための情報であるといえる。
　してみれば，引用発明１の「ユーザ機器によってサポートされる多数の利用可能な物理アンテナに関する情報及び物理アンテナ数」は，本願発明の「前記ＵＥのアンテナの選択に関する情報」である「特定のワイヤレスプロトコルのため前記ＵＥによって使用されるアンテナの数に関する情報」に相当する。
　更に，引用発明１は，「ユーザ機器は，ユーザ機器が送信を希望する制御情報に基づいてDM-RSを選択し，制御情報にマッピングされたDM-RSを基地局に送信すること」及び「ユーザ機器が基地局に通知する制御情報として，ユーザ機器によってサポートされる多数の利用可能な物理アンテナに関する情報及び物理アンテナ数が含まれること」を含むから，引用発明１の「ユーザ機器」は，「ユーザ機器によってサポートされる多数の利用可能な物理アンテナに関する情報及び物理アンテナ数」が含まれる制御情報を基地局に通知するために，DM-RSを選択していることは明らかである。そして，上述したとおり，DM-RSを選択することは，DM-RSを定義するサイクリックシフトを選択することを含むといえる。
　したがって，引用発明１の「ユーザ機器は，ユーザ機器が送信を希望する制御情報に基づいてDM-RSを選択し，制御情報にマッピングされたDM-RSを基地局に送信すること，DM-RSを選択することとは，制限されたサイクリックシフトとして定義されたDM-RSセットから特定のDM-RSを選択することであること，ユーザ機器が基地局に通知する制御情報として，ユーザ機器によってサポートされる多数の利用可能な物理アンテナに関する情報及び物理アンテナ数が含まれること，ユーザ機器はMIMO動作をサポートすること」は，本願発明の「アップリンクチャネルを送信するために使用される１つのサイクリックシフトを選択すること，ここにおいて，前記１つのサイクリックシフトは，前記ＵＥのアンテナの選択に関する情報を伝達するために選択される，ここにおいて，前記ＵＥのアンテナの前記選択に関する前記情報は，特定のワイヤレスプロトコルのため前記ＵＥによって使用されるアンテナの数に関する情報である」ことに相当する。
ウ　引用発明１の「PUSCH上のDM-RSフィールドを介して制御情報を送信する場合，他の別個の情報を伝送する必要なくDM-RSのみが伝送されること」について， DM-RSのみが伝送されているから，アップリンクチャネルであるPUSCHにおいて，制御情報に関する明示的な情報が伝達されていないことは明らかである。そして，明示的な情報を伝達せずに制御情報を送信するということは，暗黙的に制御情報を送信することに他ならない。
　また，「イ」で上述した事項を考慮すれば，引用発明１において「PUSCH上のDM-RSフィールドを介して制御情報を送信する」場合に，送信される制御情報に対応したDM-RSの選択が行われていることは明らかである。そして，「イ」で上述したとおり，DM-RSを選択することは，DM-RSを定義するサイクリックシフトを選択することを含むといえる。
　したがって，引用発明１の「PUSCH上のDM-RSフィールドを介して制御情報を送信する場合，他の別個の情報を伝送する必要なくDM-RSのみが伝送されること」は，本願発明の「ここにおいて，前記サイクリックシフトは，前記アップリンクチャネルで明示的に伝達されない情報を暗黙的に伝達するために選択される」ことに相当する。
エ　「イ」で上述したとおり，引用発明１の「ユーザ機器」は，「ユーザ機器によってサポートされる多数の利用可能な物理アンテナに関する情報及び物理アンテナ数」が含まれる制御情報を基地局に通知するために，DM-RSを選択していることは明らかである。そして，「イ」で上述したとおり，DM-RSを選択することは，DM-RSを定義するサイクリックシフトを選択することを含むといえる。
　したがって，引用発明１の「ユーザ機器は，ユーザ機器が送信を希望する制御情報に基づいてDM-RSを選択し，制御情報にマッピングされたDM-RSを基地局に送信すること，DM-RSを選択することとは，制限されたサイクリックシフトとして定義されたDM-RSセットから特定のDM-RSを選択することであること，ユーザ機器が基地局に通知する制御情報として，ユーザ機器によってサポートされる多数の利用可能な物理アンテナに関する情報及び物理アンテナ数が含まれること，ユーザ機器はMIMO動作をサポートすること」は，本願発明の「前記選択されたサイクリックシフトを使用して前記アップリンクチャネルを送信することによって前記情報を伝達すること」に相当する。 
オ　本願発明の「１つまたは複数のサイクリックシフトまたは直交カバーコード」，「前記サイクリックシフトまたは直交カバーコード」，「前記選択されたサイクリックシフトまたは直交カバーコード」に関して，「または」は択一的であることを意味するから，引用発明１が「複数のサイクリックシフトまたは直交カバーコード」，「または直交カバーコード」との事項を有しないことは，相違点とはならない。
　以上を総合すると，本願発明と引用発明１とは，
（一致点）
「　ユーザ機器（ＵＥ）によるワイヤレス通信のための方法であって，
　アップリンクチャネルを送信するために使用される１つのサイクリックシフトを選択すること，ここにおいて，前記１つのサイクリックシフトは，前記ＵＥのアンテナの選択に関する情報を伝達するために選択される，ここにおいて，前記ＵＥのアンテナの前記選択に関する前記情報は，特定のワイヤレスプロトコルのため前記ＵＥによって使用されるアンテナの数に関する情報である，ここにおいて，前記サイクリックシフトは，前記アップリンクチャネルで明示的に伝達されない情報を暗黙的に伝達するために選択される，と，
　前記選択されたサイクリックシフトを使用して前記アップリンクチャネルを送信することによって前記情報を伝達すること，と，
　を備える，方法。」
で一致し，相違するところはない。
　そして，本願発明の作用効果も，引用発明１に基づいて当業者が予測できる範囲のものである。
　したがって，本願発明は，引用発明１と同一である。また，引用発明１に基づいて本願発明をすることは当業者にとって容易である。
　以上のとおり，本願発明は，引用例２に記載された発明であるから，特許法第２９条第１項第３号に該当し，特許を受けることができない。
　また，本願発明は，引用例２に記載された発明に基づいて当業者が容易に発明をすることができたものであるから，特許法第２９条第２項の規定により特許を受けることができない。
（請求人の主張について）
　請求人は令和１年１２月６日に提出された意見書の「３−２．拒絶理由３及び４（新規性及び進歩性）についての意見」の「（１）」において，「ここで，「能力情報には，ユーザ機器によってサポートされる利用可能な物理アンテナの数が含まれること」とは，文献２の［０１１４］の記載に基づくものと思料いたします。
（中略）
ここには，「information on a number of available physical antennae supported by the user equipment」（ユーザ機器がサポートする多数の利用可能な物理アンテナに関する情報）と記載されていますが，「supported by the user equipment」（ユーザ機器がサポートする）の技術的意味が不明です。したがって，ここには，「the number of antennas utilized by the UE」（ＵＥによって使用されるアンテナの数）は明記されていないと思料いたします。文献２の段落［０１１０］の記載も同様です。
　これに対して，審判官殿は指摘されていませんが，文献２の請求項１８には，
（中略）
これらの記載から，［０１１４］に記載された「information on anumber of available physical antennae supported by the user equipment」（ユーザ機器がサポートする多数の利用可能な物理アンテナに関する情報）とは，ユーザ機器がサポートする多数の利用可能な基地局の物理アンテナに関する情報であると理解すべきであると思料いたします。」と主張している。
　しかしながら，「第４　当審の判断」の「１　特許法第２９条第１項第３号（新規性），及び特許法第２９条第２項（進歩性）について」の「（１）　引用発明」の「ア　引用発明１」において上述したとおり，引用例２の[0112]には，「物理アンテナ数」を含むLTE-Aユーザ機器能力が，共有チャネル又はDM-RSインデックスを通じて伝送され得ることが記載されている。更に，引用例２の[0114]には，DM-RSサイクリックシフト選択を通じて伝送され得るLTE-Aユーザ機器能力として，「ユーザ機器によってサポートされる多数の利用可能な物理アンテナに関する情報」が示されうることが記載されている。そして，MIMO動作を行うユーザ機器が，ユーザ機器の能力情報として，ユーザ機器の物理アンテナ数や論理アンテナ数の情報を基地局に通知することは技術常識である。
　また，引用例２の [0105]の「以下，DM-RSを通じて伝送される多様な制御情報について詳細に説明する。」との記載から，[0109]-[0115]に記載されている，DM-RSを介して通知されるLTE-Aユーザ機器能力，すなわち，上述した[0112]の「物理アンテナ数」や，[0114]の「ユーザ機器によってサポートされる多数の利用可能な物理アンテナに関する情報」を含むLTE-Aユーザ機器能力が，ユーザ機器が基地局に通知する制御情報に含まれることは明らかである。
　したがって，上記の請求人の主張（（ＵＥによって使用されるアンテナの数）は明記されていないという主張，及び（ユーザ機器がサポートする多数の利用可能な物理アンテナに関する情報）とは，ユーザ機器がサポートする多数の利用可能な基地局の物理アンテナに関する情報であると理解すべきという主張）は採用することができない。
　更に，請求人は令和１年１２月６日に提出された意見書の「３−２．拒絶理由３及び４（新規性及び進歩性）についての意見」の「（２）」において，「しかしながら，「information on a number of available physical antennae supported by the user equipment」（ユーザー機器がサポートする多数の利用可能な物理アンテナに関する情報）が，ＬＴＥプロトコルに基づく通信で送信されたとしても，それは単に情報を伝送した通信プロトコルがＬＴＥであったにすぎず，「information on a number of available physical antennae supported by the user equipment」（ユーザー機器がサポートする多数の利用可能な物理アンテナに関する情報）が，ＬＴＥプロトコルのためにＵＥによって使用されるアンテナの数に関する情報であるとは言えないと思料いたします。」と主張している。
　
　しかしながら，本願発明の「特定のワイヤレスプロトコルのため前記ＵＥによって使用されるアンテナの数に関する情報」は，特定のワイヤレスプロトコルのためＵＥによって使用されるアンテナの数だけではなく，特定のワイヤレスプロトコルのためＵＥによって使用されるアンテナの数に関連する情報を包含するものといえる。そして，「（２）　対比・判断」の「イ」の検討を考慮すれば，「ユーザ機器によってサポートされる多数の利用可能な物理アンテナに関する情報及び物理アンテナ数」に基づいて，LTE-Aシステムの通信プロトコルを用いた通信のために，ユーザ機器がMIMO動作を行う際のアンテナの数が選択・決定されること（例えば，ユーザ機器が有する「物理アンテナ数」を上限とし，「ユーザ機器によってサポートされる多数の利用可能な物理アンテナに関する情報」を考慮して，MIMO動作を行う際の物理アンテナの数や論理アンテナの数が選択・決定されること）は，当業者にとって明らかである。
　してみれば，引用発明１の「ユーザ機器によってサポートされる多数の利用可能な物理アンテナに関する情報及び物理アンテナ数」が，LTE-Aシステムの通信プロトコルを用いた通信のために，アンテナ数を含むアンテナ条件を選択・決定するための情報であることは明らかである。
　したがって，上記の請求人の主張は採用することができない。
（付記）
　以下，当審拒絶理由の「第２　理由３（新規性），理由４（進歩性）」に記載した「（２）」の解釈（発明の詳細な説明の段落［００７１］の記載を勘案し，「ＵＥのアンテナの選択に関する情報」を，ＵＥのアンテナについて，ＬＴＥで
使用
　
　上述の「（２）」の解釈に従い，本願発明の「前記ＵＥのアンテナの選択に関する情報」及び「前記ＵＥのアンテナの前記選択に関する前記情報は，特定のワイヤレスプロトコルのため前記ＵＥによって使用されるアンテナの数に関する情報」は，複数のワイヤレスプロトコルのうち，特定のワイヤレスプロトコルのため前記ＵＥによって選択され
使用
　ここで，引用発明１は，「LTE-Aシステムに適用される，ユーザ機器から基地局への制御情報送信の方法」であるから，引用発明１の「ユーザ機器によってサポートされる多数の利用可能な物理アンテナに関する情報及び物理アンテナ数」は，LTE-Aシステムの通信プロトコルにおいて
使用
　そうすると，本願発明の「前記ＵＥのアンテナの選択に関する情報」及び「前記ＵＥのアンテナの前記選択に関する前記情報は，特定のワイヤレスプロトコルのため前記ＵＥによって使用されるアンテナの数に関する情報」と，引用発明１の「ユーザ機器によってサポートされる多数の利用可能な物理アンテナに関する情報及び物理アンテナ数」は，「前記ＵＥのアンテナの
使用
使用
　また，その余の事項については，「（２）　対比・判断」の「ア」〜「オ」で述べたとおりである。
　そうすると，本願発明と引用発明１とは，以下の点で一致し，また，相違している。
（一致点）
「　ユーザ機器（ＵＥ）によるワイヤレス通信のための方法であって，
　アップリンクチャネルを送信するために使用される１つのサイクリックシフトを選択すること，ここにおいて，前記１つのサイクリックシフトは，前記ＵＥのアンテナの
使用
使用
　前記選択されたサイクリックシフトを使用して前記アップリンクチャネルを送信することによって前記情報を伝達すること，と，
　を備える，方法。」
（相違点）
　「前記ＵＥのアンテナの
使用
使用
　以下，上記相違点について検討する。
　上記「第４　当審の判断」の「１　特許法第２９条第１項第３号（新規性），及び特許法第２９条第２項（進歩性）について」の「（１）　引用発明」の「イ　引用発明２」で認定したとおり，
「　携帯通信端末のアンテナ選択方法であって，
　携帯通信端末が，
　携帯通信端末の使用状態と無線通信システムの状態に基づいて，ＬＴＥで使用するアンテナと，ＷＬＡＮを含むその他の通信方式で使用するアンテナを選択すること，
　ＬＴＥ通信においてＭＩＭＯによる通信を行うこと
　を含む方法。」との引用発明２は公知である。
　そして，複数の通信プロトコルで通信可能な端末に関して，特定の通信プロトコルで通信するために，端末内の装置の設定を当該特定の通信プロトコルにあわせた設定とすることは一般的な課題である。したがって，当該一般的課題を解決するために，引用発明１に引用発明２の構成を採用することは格別困難なことではない。
　したがって，引用発明１に引用発明２を適用して，引用発明１の「ユーザ機器によってサポートされる多数の利用可能な物理アンテナに関する情報及び物理アンテナ数」を，複数のワイヤレスプロトコル（ＬＴＥ及びＷＬＡＮを含むその他の通信方式）のうち，特定のワイヤレスプロトコル（ＬＴＥ）のためＵＥによって選択され使用されるアンテナについての情報及び物理アンテナ数とすることは，当業者が容易に想到しうることである。
　そして，本願発明の作用効果も，引用発明１及び引用発明２に基づいて当業者が予測できる範囲のものである。
　したがって，本願発明は，引用発明１及び引用発明２に基づいて当業者が容易に発明をすることができたものであるから，特許法第２９条第２項の規定により，特許を受けることができない。
２　特許法第３６条第６項第１号（サポート要件）について
（１）本願の特許請求の範囲の請求項１及び請求項８の記載
　令和１年１２月６日にされた手続補正により補正された，本願の特許請求の範囲の請求項１及び請求項８には，以下の記載がある。
「　【請求項１】
　ユーザ機器（ＵＥ）によるワイヤレス通信のための方法であって，
　アップリンクチャネルを送信するために使用される１つまたは複数のサイクリックシフトまたは直交カバーコードを選択すること，ここにおいて，前記１つまたは複数のサイクリックシフトまたは直交カバーコードは，前記ＵＥのアンテナの選択に関する情報を伝達するために選択される，ここにおいて，前記ＵＥのアンテナの前記選択に関する前記情報は，特定のワイヤレスプロトコルのため前記ＵＥによって使用されるアンテナの数に関する情報である，ここにおいて，前記サイクリックシフトまたは直交カバーコードは，前記アップリンクチャネルで明示的に伝達されない情報を暗黙的に伝達するために選択される，と，
　前記選択されたサイクリックシフトまたは直交カバーコードを使用して前記アップリンクチャネルを送信することによって前記情報を伝達すること，と，
　を備える，方法。」
「　【請求項８】
　前記アップリンクチャネルは，サウンディング基準信号（ＳＲＳ）を備える，請求項１に記載の方法。」
（２）　発明の詳細な説明の記載
　本願の請求項８の記載に関連して，本願の詳細な説明には次のような記載がある。（下線は当審が付与。）
「【００４９】
シグナリングのためにアップリンクシーケンスシフトを利用する例　
[0055] 図１において例示されているシステムのような，ＬＴＥワイヤレス通信システムにおいて，
ＵＥは，サウンディング基準信号（ＳＲＳ：sounding reference signals）および他のアップリンク（ＵＬ）基準信号をｅＮＢに送信しうる。
例えば，図１におけるＵＥ１２０のようなＵＥが送信のために使用するための４つのＲＢの割り当てを受信し，４つのＲＢでＳＲＳを送信するよう決定する場合，ＵＥは，ＳＲＳを生成するためにザアドフ・チュー・シーケンスを使用しうる。この例において，割り当てが２つのＲＢのみである場合，ＵＥは，ＳＲＳを生成するためにＣＧＳを使用しうる。
（中略）
【００５４】
[0060] 
加えて，サウンディング基準信号（ＳＲＳ）チャネルは，奇数および偶数のコーム（combs），すなわち，ＳＲＳを送信するために割り当てられたＲＢ内の奇数および偶数のトーン上での送信，を利用しうる。例えば，ＵＥは，ＳＲＳを送信するために２つのサブフレームの各々内に１つのＲＢを割り当てられ，第１のサブフレーム内のＲＢのトーン０，２，４，６，８，および１０上でＳＲＳを送信し，第２のサブフレーム内のＲＢのトーン１，３，５，７，９，および１１上でＳＲＳを送信しうる。
（中略）
【００６６】
[0072] シグナリングのためにＵＬシーケンスシフトを利用することに関する第１のスキームにおいて，
セル内に利用可能な
ＳＲＳのリソースが存在する場合，
ｅＮＢは，それら残りのリソースのうちのいくつかを送信のためにスケジューリングされたＵＥに割り当てることができる。
（中略）
【００８４】
[0090] 図４は，本開示のある特定の態様にしたがって，ユーザ機器によって遂行されうる実例的な動作４００を例示する。４０２では，ＵＥは，アップリンクチャネルを送信するために使用される１つまたは複数のサイクリックシフトまたは直交カバーコードを選択し得，ここにおいて，１つまたは複数のサイクリックシフトまたは直交カバーコードは，情報を伝達するために選択される。４０４では，
ＵＥは，選択されたサイクリックシフトまたは直交カバーコードを使用してアップリンクチャネルを送信することによって情報を伝達しうる。
（３）　判断
　本願の請求項８に係る発明は「前記アップリンクチャネルは，サウンディング基準信号（ＳＲＳ）を備える，請求項１に記載の方法。」であるところ，本願の請求項１に係る発明は「前記選択されたサイクリックシフトまたは直交カバーコードを使用して前記アップリンクチャネルを送信することによって前記情報を伝達すること」なる事項を含んでいるから，本願の請求項８に係る発明は，選択された直交カバーコードを使用して，サウンディング基準信号（ＳＲＳ）を送信することを含んでいる。
　一方，発明の詳細な説明の記載によると，段落【００４９】には，ＵＥは，サウンディング基準信号（ＳＲＳ）および他のアップリンク（ＵＬ）基準信号をｅＮＢに送信しうることが記載されている。
　また，段落【００５４】には，サウンディング基準信号（ＳＲＳ）チャネルは，奇数および偶数のコーム（combs），すなわち，ＳＲＳを送信するために割り当てられたＲＢ内の奇数および偶数のトーン上での送信，を利用しうることが記載されている。
　また，段落【００６６】には，セル内に利用可能なＳＲＳのリソースが存在する場合，ｅＮＢは，それら残りのリソースのうちのいくつかを送信のためにスケジューリングされたＵＥに割り当てることができることが記載されている。
　また，段落【００８４】には，選択されたサイクリックシフトまたは直交カバーコードを使用してアップリンクチャネルを送信することが記載されている。
　しかしながら，発明の詳細な説明には，選択された直交カバーコードを使用して，サウンディング基準信号（ＳＲＳ）を送信することについては記載されていない。
　そして，直交カバーコードは，ＤＭ−ＲＳのように，１つのサブフレーム内に２つ以上のシンボルが配置されている情報に対して適用可能なものであって，ＳＲＳのように１つのサブフレーム内に１つのシンボルのみが配置される情報に適用することはできない。すなわち，選択された直交カバーコードを使用して，サウンディング基準信号（ＳＲＳ）を送信することは，本願の優先日時点における技術常識に照らしても自明のこととはいえない。
　してみれば，発明の詳細な説明に発明として記載されたものは，選択されたサイクリックシフトを使用してサウンディング基準信号（ＳＲＳ）を送信するものであって，選択された直交カバーコードを使用してサウンディング基準信号（ＳＲＳ）を送信するものではない。　
　したがって，「前記アップリンクチャネルは，サウンディング基準信号（ＳＲＳ）を備える，請求項１に記載の方法。」との事項を含む請求項８に係る発明は，発明の詳細な説明に記載されたものではない。
（請求人の主張について）
　請求人は令和１年１２月６日に提出された意見書の「３−１．拒絶理由１及び２（サポート要件及び明確性）についての意見」の「５．に関して」において，「段落［００４９］にも記載されているように，ＬＴＥワイヤレス通信システムにおいて，ＵＥは，サウンディング基準信号（ＳＲＳ：sounding reference signals）をｅＮＢに送信することができます。ＳＲＳはｅＮＢがアップリンクのチャネル状態の推定を可能にするために種々のアップリンク帯域で送信されるもので，当業者に周知な技術事項であると思料いたします。そして，段落［００８４］には，直交化カバーコードを使用してアップリンクチャネルを送信することが記載されています。したがって，ＳＲＳを備えるアップリンクチャネルを送信するために直行カバーコードを使用することは，実質的に発明の詳細な説明に記載されていると思料いたします。」と主張している。
　しかしながら，上述したとおり，直交カバーコードは，ＤＭ−ＲＳのように，１つのサブフレーム内に２つ以上のシンボルが配置されている情報に対して適用可能なものであって，ＳＲＳのように１つのサブフレーム内に１つのシンボルのみが配置される情報に適用することはできない。してみると，サウンディング基準信号（ＳＲＳ）および他のアップリンク（ＵＬ）基準信号をｅＮＢに送信しうること（段落【００４９】），及び選択されたサイクリックシフトまたは直交カバーコードを使用してアップリンクチャネルを送信すること（段落【００８４】）が，それぞれ個別に発明の詳細な説明に記載されているからといって，選択された直交カバーコードを使用して，サウンディング基準信号（ＳＲＳ）を送信することが，発明の詳細な説明に記載されていると認めることはできない。
　したがって，請求人の上記主張を採用することはできない。
第５　むすび 
　本願発明は，引用例２に記載された発明であるから，特許法第２９条第１項第３号に該当し，特許を受けることができない。
　また，本願発明は，当業者が引用例２に記載された発明に基づいて容易に発明をすることができたものであるから，特許法第２９条第２項の規定により特許を受けることができない。
　また，本願は，特許法第３６条条６項１号に規定する要件を満たしていないから，特許を受けることができない。
　したがって，本願は，他の請求項について検討するまでもなく，拒絶すべきものである。
　よって，結論のとおり審決する。